(57)【要約】【課題】本発明は、風呂装置の配管及び機器の内部に滞留する炭酸水及び炭酸ガスを除去することが可能であり、施工工事も簡単であって、湯水の炭酸ガス濃度を高くしても配管及び機器が腐食しにくく、機器が誤動作しにくい風呂装置及び風呂装置の洗浄方法を提供することである。【解決手段】風呂装置１は、炭酸ガス溶解装置８３を有しており、炭酸ガス溶解装置８３によって流路内を流れる水に炭酸ガスを含有させて炭酸湯を生成し、炭酸湯を浴槽５に落とし込む。そして、炭酸湯が流れた流路及び機器に炭酸ガスを含有しない湯水を流すことにより、炭酸湯が流れた流路を洗浄し、風呂装置１の流路及び機器に残留した炭酸水及び炭酸ガスを除去するものである。【選択図】図１
2011208916.tif 000002
【特許請求の範囲】
【請求項１】
炭酸ガス溶解装置を有し、炭酸ガス溶解装置により炭酸ガスを水に溶解する炭酸ガス溶解動作が可能であり、炭酸ガス溶解動作の後に炭酸ガスが溶解しない水を炭酸ガスが溶解した水が流れた流路を経由して浴槽内に導入する洗浄動作を行うことを特徴とする風呂装置。
【請求項２】
炭酸ガスが溶解された水を浴槽内に導入するガス溶解水導入動作が可能であり、ガス溶解水導入動作の後に炭酸ガスが溶解しない水を浴槽内に導入する洗浄動作を行うことを特徴とする請求項１に記載の風呂装置。
【請求項３】
浴槽内の水を追い焚き用熱交換器を経由して循環させる追い焚き循環回路を備え、炭酸ガスが溶解された水を追い焚き循環回路を経由して浴槽内に落とし込むことによって前記ガス溶解水導入動作を実行し、ガス溶解水導入動作の後に炭酸ガスが溶解しない水を追い焚き循環回路を経由して浴槽内に落とし込むことによって前記洗浄動作を行うことを特徴とする請求項１又は２に記載の風呂装置。
【請求項４】
浴槽内の水を追い焚き用熱交換器を経由して循環させる追い焚き循環回路を備え、追い焚き循環回路を流れる水に炭酸ガスを溶解させることによって前記ガス溶解水導入動作を実行し、ガス溶解水導入動作の後に炭酸ガスが溶解しない水を追い焚き循環回路を経由して浴槽内に落とし込むことによって前記洗浄動作を行うことを特徴とする請求項１乃至３のいずれかに記載の風呂装置。
【請求項５】
追い焚き循環回路には循環ポンプと流水検知装置が設けられており、循環ポンプを起動して流水検知装置で追い焚き循環回路内の通水の有無を検知する循環判定を実行する機能を有し、ガス溶解水導入動作の後に循環判定を実行する場合には、洗浄動作を実行した後に循環判定が実行されることを特徴とする請求項１乃至４のいずれかに記載の風呂装置。
【請求項６】
炭酸ガスを水に溶解する炭酸ガス溶解動作を実行し、炭酸ガス溶解動作の後に炭酸ガスが溶解しない水を炭酸ガスが溶解した水が流れた流路を経由して浴槽内に導入する洗浄動作を行うことを特徴とする風呂装置の洗浄方法。
【請求項７】
前記炭酸ガス溶解動作を実行し、炭酸ガスが溶解された水を浴槽内に導入するガス溶解水導入動作を実行し、その後に炭酸ガスが溶解しない水を浴槽内に導入する洗浄動作を行うことを特徴とする請求項６に記載の風呂装置の洗浄方法。
【発明の詳細な説明】
【技術分野】
【０００１】
本発明は、家庭内で炭酸泉を実現し、家庭で炭酸浴を楽しむことができる風呂装置に関するものである。
【背景技術】
【０００２】
有馬温泉などの炭酸ガスを多く含む温泉は炭酸泉と称され、炭酸泉に入浴する炭酸浴は、健康増進に役立つことが古くからの経験で知られている。また炭酸浴の健康に対する有用性は、科学的にも実証されている。即ち炭酸浴は、毛細血管の血流を促進する効果があり、血圧低下や心拍数の低下をもたらす。そのため、退行性病変や抹消循環障害の治療に効果がある。そこで家庭内で炭酸浴を楽しみたいという市場の要求があり、家庭内で炭酸泉（以下炭酸湯とする）を作り出す装置が知られている。
なお、本発明で炭酸湯とはその温度が高いものに限るものでなく、炭酸水のように温度が低いものも含まれるものとする。
【０００３】
ところで家庭内で炭酸湯を作り出す装置では、配管内の炭酸湯に接触する部分の腐食が早くなってしまうという問題がある。即ち、熱伝導率を高くするため銅等が使用される熱交換器や、銅系の金属により形成される弁体のような部材、または配管等が炭酸によって損傷することにより、水（湯）を流す場合よりこれらの腐食が早まるという問題である。
【０００４】
上記した問題を解決するための技術として、例えば特許文献１に開示されている発明がある。特許文献１に開示された発明は、追い焚きユニットとは別途に炭酸泉生成ユニットを取り付けている。そして、水の炭酸濃度を検知して水の炭酸濃度が特定の値を超える場合、追い焚きユニット内に炭酸濃度の高い水が浸入しないように水の流れを遮断することで、追い焚きユニットの配管の腐食を防いでいる。つまり特許文献１に開示された発明は、炭酸ガスを含まない水又は炭酸濃度の低い水を予め昇温した後で炭酸ガスを溶解するものであり、炭酸濃度の高い水を追い焚きできない構成を採用している。
【先行技術文献】
【特許文献】
【０００５】
【特許文献１】特開２００７−２６３４２３号公報
【発明の概要】
【発明が解決しようとする課題】
【０００６】
しかしながら特許文献１に開示された風呂装置によると、水に溶け込む炭酸ガスの濃度が低く、十分な健康増進効果を期待することができない。具体的に説明すると特許文献１に開示された風呂装置は、前記したように炭酸濃度の高い水を追い焚きできない。即ち、必然的に予め追い焚きユニットで常温よりも温度が高い水を生成し、その温度が高い水（湯）に炭酸ガスを溶解することとなる。しかし、気体の水に対する溶解度は水温が高いほど低くなるため、特許文献１に開示された風呂装置は炭酸ガスが溶けにくく、炭酸ガスの濃度が上がらない。
【０００７】
また特許文献１に開示された構成は、追い焚き循環回路とは別途に炭酸ガス溶解用の循環回路を必要とする。そのため浴槽から水を出し入れするための出入口を追い焚き循環回路用のものと炭酸ガス溶解用のものと２種類設ける必要があり、施工工事が面倒である。
【０００８】
加えて、特許文献１に開示された風呂装置では水（湯）に溶解しなかった炭酸ガスや炭酸水から蒸発した炭酸ガスが配管内に留まってしまうというおそれがある。そのため特許文献１に開示された風呂装置に水流スイッチを設けると、水流スイッチが気泡の影響により誤動作するという問題が発生する可能性がある。
【０００９】
そこで本発明は、炭酸湯及び炭酸ガスの配管内への残留を抑制することが可能であって、容易に施工可能である風呂装置を開発することを課題とする。
また、炭酸湯による配管の腐食及び配管内の炭酸ガスの滞留を抑制することができる風呂装置の洗浄方法を提供することを課題とする。
【課題を解決するための手段】
【００１０】
上記課題を解決するための請求項１に記載の発明は、炭酸ガス溶解装置を有し、炭酸ガス溶解装置により炭酸ガスを水に溶解する炭酸ガス溶解動作が可能であり、炭酸ガス溶解動作の後に炭酸ガスが溶解しない水を炭酸ガスが溶解した水が流れた流路を経由して浴槽内に導入する洗浄動作を行うことを特徴とする風呂装置である。
【００１１】
請求項１に記載の発明では、風呂装置が炭酸ガスを水に溶解する炭酸ガス溶解動作の終了後に炭酸ガスが溶解しない水を浴槽まで流す洗浄動作を行う。そのため、仮に炭酸ガスが溶解した水（炭酸湯）や炭酸ガスそのものが配管内に残留していたとしても、配管外へ排出することができる。したがって、配管や水流スイッチ等の風呂装置を形成する機器（及び部材）の炭酸による腐食を抑制することができる。また配管内に炭酸ガスが残留しないので、風呂装置に各種センサーを配置した際に、配管内を流れる水（湯）の水量や水圧、温度等を正確に検知することができる。
【００１２】
請求項２に記載の発明は、炭酸ガスが溶解された水を浴槽内に導入するガス溶解水導入動作が可能であり、ガス溶解水導入動作の後に炭酸ガスが溶解しない水を浴槽内に導入する洗浄動作を行うことを特徴とする請求項１に記載の風呂装置である。
【００１３】
本発明では、炭酸ガスが溶解された水を浴槽内に導入した後、炭酸ガスが溶解しない水を浴槽内に導入する。そのことにより、炭酸湯の落とし込み動作による配管内への炭酸湯及び炭酸ガスの残留を抑制することができる。
【００１４】
請求項３に記載の発明は、浴槽内の水を追い焚き用熱交換器を経由して循環させる追い焚き循環回路を備え、炭酸ガスが溶解された水を追い焚き循環回路を経由して浴槽内に落とし込むことによって前記ガス溶解水導入動作を実行し、ガス溶解水導入動作の後に炭酸ガスが溶解しない水を追い焚き循環回路を経由して浴槽内に落とし込むことによって前記洗浄動作を行うことを特徴とする請求項１又は２に記載の風呂装置である。
【００１５】
本発明では、ガス溶解水導入動作の後に、炭酸ガスが溶解しない水を追い焚き循環回路を経由して浴槽内に落とし込むことによって洗浄動作を行う。つまり、炭酸水が経由した追い焚き循環回路を洗浄することにより、追い焚き循環回路の炭酸による損傷及び追い焚き循環回路内の炭酸ガスの滞留を抑制できる。そのため、炭酸ガスを湯（水）に溶解するための回路を追い焚き循環回路の上流に設置することができる。このことにより、浴槽に水を出し入れするための出入り口を設ける際、炭酸ガス溶解用のものと追い焚き用のものを1つにして設けることができるため、施工工事が容易である。
また、炭酸濃度の高い水を追い焚きできるので、あらかじめ温度の低い水に炭酸ガスを溶解した炭酸水（炭酸湯）を生成し、追い焚きによって炭酸水（炭酸湯）の温度を上昇させることができる。したがって、温度の高い水に炭酸ガスを溶解させた場合に比べ、炭酸濃度の高い炭酸湯を風呂に使用することができる。
【００１６】
請求項４に記載の発明は、浴槽内の水を追い焚き用熱交換器を経由して循環させる追い焚き循環回路を備え、追い焚き循環回路を流れる水に炭酸ガスを溶解させることによって前記ガス溶解水導入動作を実行し、ガス溶解水導入動作の後に炭酸ガスが溶解しない水を追い焚き循環回路を経由して浴槽内に落とし込むことによって前記洗浄動作を行うことを特徴とする請求項１乃至３のいずれかに記載の風呂装置である。
【００１７】
本発明では、炭酸水が経由した追い焚き循環回路を洗浄するため、追い焚き循環回路の炭酸による損傷及び追い焚き循環回路内における炭酸ガスの滞留を抑制することができる。そのため、追い焚き循環回路に炭酸ガスを湯（水）に溶解するための回路を設けることができる。そのため、追い焚き循環回路と炭酸ガス溶解用の回路を別途設けた場合に比べて、風呂装置の構成を簡易化することができる。
【００１８】
請求項５に記載の発明は、追い焚き循環回路には循環ポンプと流水検知装置が設けられており、循環ポンプを起動して流水検知装置で追い焚き循環回路内の通水の有無を検知する循環判定を実行する機能を有し、ガス溶解水導入動作の後に循環判定を実行する場合には、洗浄動作を実行した後に循環判定が実行されることを特徴とする請求項１乃至４のいずれかに記載の風呂装置である。
【００１９】
本発明では、ガス溶解水導入動作の後に循環判定を実行する場合、洗浄動作を実行してから循環判定を行う。つまり、ガス溶解水導入動作によって配管内に残留した炭酸湯及び炭酸ガスを配管外へ排出してから循環判定が行われるので、水流検知装置のセンサーが炭酸によって誤検知することを防ぐことができる。
【００２０】
請求項６に記載の発明は、炭酸ガスを水に溶解する炭酸ガス溶解動作を実行し、炭酸ガス溶解動作の後に炭酸ガスが溶解しない水を炭酸ガスが溶解した水が流れた流路を経由して浴槽内に導入する洗浄動作を行うことを特徴とする風呂装置の洗浄方法である。
【００２１】
請求項７に記載の発明は、前記炭酸ガス溶解動作を実行し、炭酸ガスが溶解された水を浴槽内に導入するガス溶解水導入動作を実行し、その後に炭酸ガスが溶解しない水を浴槽内に導入する洗浄動作を行うことを特徴とする請求項６に記載の風呂装置の洗浄方法である。
【００２２】
本発明によると、風呂装置の配管（回路）の内部に炭酸湯及び炭酸ガスが残留しにくいので、長期使用時の風呂装置の炭酸による損傷を低減することができる。
【発明の効果】
【００２３】
本発明は、配管や水流スイッチ等の風呂装置を形成する機器（及び部材）の炭酸による腐食を抑制することができる。また配管内に炭酸ガスが残留しないので、風呂装置に各種センサーを配置した際に、配管内を流れる水（湯）の水流有無や水量や水圧、温度等を正確に検知することができる。
【図面の簡単な説明】
【００２４】
【図１】本発明の第１実施形態の風呂装置の作動原理図である。
【図２】図１の風呂装置の動作を示すフローチャートの前半部分である。
【図３】図１の風呂装置の動作を示すフローチャートの後半部分である。
【図４】図２のフローチャートの各段階における炭酸ガス導入ユニットと、熱源部間の信号の授受関係を示す表である。
【図５】本発明の第２実施形態の風呂装置の作動原理図である。
【図６】図５の風呂装置の動作を示すフローチャートである。
【図７】図６のフローチャートの各段階における炭酸ガス導入ユニットと、熱源部間の信号の授受関係を示す表である。
【図８】本発明の第３実施形態の風呂装置の作動原理図である。
【図９】図８の風呂装置の動作を示すフローチャートの前半部分である。
【図１０】図８の風呂装置の動作を示すフローチャートの後半部分である。
【図１１】図９のフローチャートの各段階における炭酸ガス導入ユニットと、熱源部間の信号の授受関係を示す表である。
【発明を実施するための形態】
【００２５】
以下さらに本発明の実施形態について説明する。
本実施形態の風呂装置１は、図１に示すように熱源部２と、炭酸ガス導入ユニット３と、浴槽５によって構成されている。本実施形態では、これら三者は、それぞれ独立した装置であり、相互に配管接続されることによって風呂装置１を構成している。
本実施形態で採用する熱源部２は、公知の給湯暖房風呂ユニットであり、内部に３系統の配管回路が内蔵され、外部に温度設定等を行うリモコン６が設けられたものである。
熱源部２の構造及び作用は公知であるから、簡単に説明する。
即ち熱源部２は、その内部に給湯系配管回路７と、暖房系配管回路８と、風呂系配管回路１０が内蔵されている。
【００２６】
熱源部２の給湯系配管回路７は、給湯用燃焼機１１を有し、その給湯用燃焼機１１を利用して給水を加熱し、さらにバイパス水路１２を流れる水を混合して任意の温度の湯を作る回路である。
給湯用燃焼機１１は、公知のそれと同じものであり、缶体１３の内部にガスバーナ１５を有している。また缶体１３には、送風機（図示せず）や排気系統（図示せず）が設けられている。
そして缶体１３の内部であってガスバーナ１５の下流側に給湯用熱交換器１６が設けられている。
【００２７】
給湯系配管回路７は、前記した給湯用熱交換器１６を中心とする回路であり、給湯用熱交換器１６の上流側及び下流側にそれぞれ流路が設けられている。
即ち給湯用熱交換器１６の上流側には給水流路１８が接続されている。給水流路１８は熱源部２の内外を連通する給湯給水口１４を始端とするものであり、給湯用熱交換器１６の入水側に至っている。
給湯用熱交換器１６の下流側は、高温の湯が流れる高温湯流路２１となる。そして前記した給水流路１８と高温湯流路２１との間にバイパス流路１２が接続されている。バイパス流路１２には、流量調整弁２３が設けられている。
また給湯系配管回路７の各部には、センサーやバルブ等が設けられている。水の流れの上流側から説明すると、給湯系配管回路７の給水流路１８には、入水温度センサー２５と、流量センサー２８が接続されている。
【００２８】
また高温湯流路２１には高温湯温度センサー３０が接続されている。さらにバイパス流路１２の合流点から下流側の位置に、流量調整弁３１と出湯温度センサー３２が設けられており出湯口３４に至っている。
【００２９】
熱源部２の給湯系配管回路７の機能は、公知のそれと同一であり、カラン３５等が開かれることによって給湯系配管回路７の内部に水流が生じ、その水流を流量センサー２８が検知すると、ガスバーナ１５に点火されて給湯用熱交換器１６を流れる水が加熱される。ここでガスバーナ１５の燃焼量は、入水温度センサー２５が検知する入水温度と、流量センサー２８が検知する流量と、リモコン６で設定される設定温度に基づき決定される。
【００３０】
そして給湯用熱交換器１６から排出された高温の湯に、バイパス水路１２を流れる水が混合される。ここで出湯温度センサー３２の検知温度が、バイパス流路１２に設けられた流量調整弁２３にフィードバックされ、混合後の湯の温度が設定温度と一致する様に制御される。
【００３１】
次に熱源部２の暖房系配管回路８について説明する。暖房系配管回路８についても公知のそれと同一であるから、説明は概要に止める。
【００３２】
熱源部２の暖房系配管回路８は、暖房用燃焼機３６を利用して熱媒体を加熱し、当該熱媒体を循環させる機能を有するものである。
即ち暖房系配管回路８は、暖房用燃焼機３６を有している。暖房用燃焼機３６は、前記した給湯用燃焼機１１と同様に、缶体３８の内部にガスバーナ４０を有している。また缶体３８には、送風機（図示せず）や排気系統（図示せず）が設けられている。
そして缶体３８の内部であってガスバーナ４０の下流側に暖房用熱交換器４１が設けられている。
【００３３】
暖房系配管回路８は、外部配管と一体となって循環流路を形成するものであり、熱媒体戻り口４５から膨張タンク４６、循環ポンプ４７、暖房用熱交換器４１を経て熱媒体排出口５０に至る流路を備えている。
暖房系配管回路８では、熱媒体戻り口４５から熱源部２に導入された熱媒体が暖房用熱交換器４１で加熱昇温され、熱媒体排出口５０から排出されて暖房器具（図示せず）に至る。
なお実際の暖房系配管回路８は、高温の熱媒体を排出する排出口と低温の熱媒体を排出する排出口及び熱媒体戻り口４５と熱媒体排出口５０をバイパスするバイパス流路等を備えているが、これらの図示および説明は省略する。
【００３４】
次に風呂系配管回路１０について説明する。
風呂系配管回路１０は、熱源部側風呂用熱交換器５１と、循環ポンプ５２によって構成されている。
熱源部側風呂用熱交換器５１は、例えば銅製のもので液・液熱交換器であり、その一次側には、前記した暖房系配管回路８から分岐した風呂用支流回路５３が接続されている。熱源部側風呂用熱交換器５１の二次側には、循環ポンプ５２が接続されている。
風呂系配管回路１０の本来の機能は、浴槽５と接続して追い焚き流路を形成し、浴槽５内の湯水を昇温するものであるが、本実施形態では、熱源部２の風呂系配管回路１０は使用せず、これに代わって後記する炭酸ガス導入ユニット３にこの機能を発揮させる。
また熱源部２は、給湯系配管回路７と風呂系配管回路１０とを繋ぐ落とし込み流路５４を備えているが、本実施形態では、熱源部２の落とし込み流路５４は使用せず、これに代わって炭酸ガス導入ユニット３にこの機能を発揮させる。
【００３５】
熱源部２のリモコン６は、公知のそれと同一であり、給湯温度の設定や浴槽内の湯の温度の設定、浴槽５への湯の自動落とし込み等の指示を行うことができるものである。
【００３６】
次に本実施形態の特徴的構成たる炭酸ガス導入ユニット３について説明する。
炭酸ガス導入ユニット３は、図１の様に、浴槽５と接続されて追い焚き循環回路５５を構成する追い焚き循環回路形成部５６と、温水調整部５７を有している。また炭酸ガス導入ユニット３はリモコンスイッチ５９を備えている。
【００３７】
追い焚き循環回路形成部５６は、炭酸ガス導入ユニット３の内外を連通する浴槽湯導入口６２を始端とし、同じく炭酸ガス導入ユニット３の内外を連通する浴槽湯排出口６１に至る一連の流路である。追い焚き循環回路形成部５６には、浴槽水位センサー６３、浴槽循環ポンプ６５、水流スイッチ６６、浴槽温度センサー６７、例えばステンレス製の風呂用液液熱交換器６８（追い焚き用熱交換器）の二次側流路が順次設けられている。
【００３８】
風呂用液液熱交換器６８の一次側流路は、炭酸ガス導入ユニット３の内外を連通する熱媒体導入口６９と熱媒体排出口７４に接続されている。また熱媒体排出口７４と風呂用液液熱交換器６８の間には開閉弁６０が設けられている。開閉弁６０は具体的には熱動弁である。
【００３９】
また温水調整部５７は、高温系統たるガスレス水接続流路７０と、低温系統たる炭酸ガス供給系統７１の二系統に分かれている。
ここでガスレス水接続流路７０は、炭酸ガス導入ユニット３の内外を連通する高温側給水口７２を始端とし、高温側水量センサー７３、高温側開閉弁７５、高温側逆流防止装置７６が順次接続され、ガス溶解水接続流路７７と合流して追い焚き循環回路形成部５６に至っている。高温側開閉弁７５は具体的には電磁弁である。
【００４０】
一方炭酸ガス供給系統７１は、炭酸ガス導入ユニット３の内外を連通する低温側給水口７８を始端とし、低温側水量センサー８０、低温側流量調整弁８１、低温側逆流防止装置８２、炭酸ガス溶解装置８３、逆止弁８５が順次接続され、ガス溶解水接続流路７７を経由して追い焚き循環回路形成部５６に至っている。即ち炭酸ガス溶解装置８３の上流側には、水を供給する水供給流路８４があって炭酸ガス溶解装置８３に水が供給され、炭酸ガス溶解装置８３の下流側はガス溶解水接続流路７７によって追い焚き循環回路形成部５６に接続されている。
【００４１】
ここで炭酸ガス溶解装置８３は、ガス透過膜方式を採用したものであり、より詳細には中空糸型半透膜を利用して水と炭酸ガスを接触させ、水中に炭酸ガスを溶解するものである。
炭酸ガス溶解装置８３には、外部に設置された炭酸ガスボンベ８６が接続されている。即ち本実施形態では、炭酸ガス導入ユニット３に炭酸ガス導入口８７が設けられており、炭酸ガス導入口８７から炭酸ガス溶解装置８３に至る炭酸ガス配管８８が設けられている。炭酸ガス配管８８の中途には、炭酸ガス用電磁弁９０が設けられている。
【００４２】
また炭酸ガス供給系統７１に設けられた低温側流量調整弁８１は、閉め切り状態にすることができるものである。即ち低温側流量調整弁８１は、閉止弁としての機能も有している。
【００４３】
リモコンスイッチ５９は、炭酸ガス導入ユニット３の起動及び停止を行うスイッチである。
【００４４】
次に、前記した熱源部２と、炭酸ガス導入ユニット３と、浴槽５間の配管接続構造について説明する。
前記した熱源部２と、炭酸ガス導入ユニット３との接続関係を見ると、熱源部２の給湯給水口１４と、炭酸ガス導入ユニット３の低温側給水口７８とが外部の同一の給水源２０に接続されている。
【００４５】
また熱源部２の出湯口３４と、炭酸ガス導入ユニット３の高温側給水口７２が接続されている。より詳細には、熱源部２の出湯口３４は、カラン３５等の一般給湯栓に接続されているが、その配管の一部が分岐されて炭酸ガス導入ユニット３の高温側給水口７２に接続されている。
【００４６】
また熱源部２の熱媒体排出口５０と炭酸ガス導入ユニット３の熱媒体導入口６９とが接続され、炭酸ガス導入ユニット３の熱媒体排出口７４が熱源部２の熱媒体戻り口４５に接続されている。言い換えると、熱源部２の熱媒体排出口５０と熱媒体戻り口４５は、前記した様に図示しない暖房器具と接続されて一連の循環回路を形成しているが、当該循環回路の一部が分岐されて炭酸ガス導入ユニット３の熱媒体導入口６９と熱媒体排出口７４に接続されている。そのため炭酸ガス導入ユニット３は、図示しない暖房器具と並列接続された関係となり、熱源部２と一連の循環回路を構成する。
【００４７】
本実施形態では、熱源部２の風呂系配管回路１０は使用しない。そのため風呂系配管回路１０には、栓９１が装着されている。
【００４８】
また炭酸ガス導入ユニット３の浴槽湯導入口６２と浴槽湯排出口６１が浴槽５に取り付けられた循環金具９２と配管接続され、炭酸ガス導入ユニット３は、図１の様に、浴槽５と接続されて追い焚き循環回路５５を構成している。
【００４９】
次に本実施形態の風呂装置１の作用について説明する。
本実施形態の風呂装置１は、浴槽５内の湯を追い焚きする機能と、浴槽５内に所定の温度の湯を落とし込む機能を備えている。
【００５０】
浴槽５内の湯を追い焚きする場合には、追い焚き循環回路形成部５６に設けられた浴槽循環ポンプ６５を運転し、追い焚き循環回路５５内に浴槽５内の湯水を導入する。
そして風呂用液液熱交換器６８の一次側に接続された開閉弁６０を開き、風呂用液液熱交換器６８の一次側に熱源部２の暖房系配管回路８から高温の熱媒体を導入する。
その結果、風呂用液液熱交換器６８の一次側を流れる高温の熱媒体と、風呂用液液熱交換器６８の二次側を流れる浴槽５内の湯水が熱交換して昇温し、浴槽５に戻される。
【００５１】
ここで、浴槽５内の湯水が炭酸ガスを含有する炭酸湯であった場合、風呂装置１は浴槽５内の炭酸湯を浴槽に戻した後、新たに通常の湯（炭酸ガスを含有しない湯）を給水源２０から追い焚き循環回路５５を経由して浴槽５に落とし込む洗浄動作を行う。このことにより、追い焚き循環回路５５に残留した炭酸湯及び炭酸ガスが浴槽５へ排出される。
なお浴槽５に新たに落とし込まれる通常の湯は、熱源部２の給湯系配管回路７で温度調整された湯であり、浴槽５内の湯の温度は、熱源部２のリモコン６に設定された湯の温度である。
【００５２】
ところで、洗浄動作のために浴槽５に新たに落とし込まれる通常の湯は温度調整された湯としたが、洗浄動作のための通常の湯は温度調整された湯でなくてもよい。例えば、常温の水を落とし込んでもよい。その場合、予め浴槽５に戻される炭酸湯を設定温度より高めに昇温し、浴槽５に洗浄動作のための水が落とし込まれた際に、浴槽５内の湯を設定温度にするといった方法が考えられる。また、予め浴槽５に戻される炭酸湯を設定温度より低めに昇温し、設定温度より高めに昇温した通常の湯を洗浄動作に使用してもよい。このような温度調整方法はとくに限定されるものでなく適宜変更してよい。洗浄動作後の浴槽５内の湯が設定温度になればよい。
【００５３】
次に浴槽５内に所定の温度の湯を落とし込む機能について説明する。本実施形態の風呂装置１は、通常の湯（炭酸ガスを含有しない湯）と、炭酸ガスを含有する湯とを選択的に浴槽５に落とし込むことができる。
即ち浴槽５に通常の湯（炭酸ガスを含有しない湯）を落とし込む場合には、炭酸ガス導入ユニット３のガスレス水接続流路７０を開き、炭酸ガス供給系統７１を閉じる。
より具体的には、ガスレス水接続流路７０に設けられた高温側開閉弁７５を開く。一方、炭酸ガス供給系統７１の低温側流量調整弁８１を全閉状態とする。
炭酸ガス配管８８に設けられた炭酸ガス用電磁弁９０は閉じておく。
【００５４】
前記した様に高温側開閉弁７５を開くと、給水源２０から熱源部２の給湯系配管回路７を経て炭酸ガス導入ユニット３のガスレス水接続流路７０に入り、追い焚き循環回路５５を経由して浴槽５に抜ける一連の流路が開く。
その結果、給水源２０の圧力に押されて熱源部２の給湯系配管回路７に水流が生じ、ガスバーナ１５に点火されて給湯用熱交換器１６を流れる水が加熱される。そして給湯用熱交換器１６から排出された高温の湯にバイパス水路１２を流れる水が混合されて前記したリモコン６で設定した温度に調整され、炭酸ガス導入ユニット３に導入される。さらにこの湯は、炭酸ガス導入ユニット３のガスレス水接続流路７０から追い焚き循環回路５５に入り、追い焚き循環回路５５を経由して浴槽５に落とし込まれる。即ち浴槽５に通常の湯（炭酸ガスを含有しない湯）を落とし込む場合には、熱源部２で加熱され温度調節された湯が炭酸ガス導入ユニット３を素通りし、熱源部２で加熱され温度調節された湯がそのままの状態で浴槽５に落とし込まれる。
【００５５】
ガスレス水接続流路７０を流れる湯の量は、ガスレス水接続流路７０に設けられた高温側水量センサー７３で積算され、所定の量に至った場合にはガスレス水接続流路７０に設けられた高温側開閉弁７５が閉じられ、落とし込みを終了する。例えば、浴槽５に１８０リットルの湯を落とし込むのであれば、ガスレス水接続流路７０の積算値が１８０リットルとなった時点で高温側開閉弁７５を閉じる。
【００５６】
また上記した経路を経て浴槽５に落とし込まれるのは、熱源部２の給湯系配管回路７で温度調整された湯、そのものであるから、浴槽５に落とし込まれた湯の温度は、熱源部２のリモコン６に設定された湯の温度である。
【００５７】
次に本実施形態の風呂装置１を使用して炭酸ガスを含有する湯を浴槽５に落とし込む場合について説明する。
炭酸ガスを含有する湯を浴槽５に落とし込む場合には、炭酸ガス導入ユニット３側から熱源部２側に高温の湯の供給を要求してガスレス水接続流路７０を通過させる。一方、炭酸ガス供給系統７１側には常温の水（上水）を通過させ、炭酸ガス導入ユニット３のガスレス水接続流路７０と、炭酸ガス供給系統７１の双方から浴槽５に湯水を供給する。
ここで本実施形態の風呂装置１では、各弁の開閉指示と共に、ガスレス水接続流路７０から浴槽５に供給する湯の量と、炭酸ガス供給系統７１から浴槽５に供給する２種の湯（炭酸水生成用と洗浄動作用）の量を演算する。
【００５８】
即ち炭酸ガス供給系統７１に炭酸湯生成用の常温の水を流す。一方、ガスレス水接続流路７０には、リモコン６の設定温度よりも高い温度の湯を流す。そして炭酸ガス供給系統７１を通過した炭酸湯とガスレス水接続流路７０を通過した湯は、ガス溶解水接続流路７７や追い焚き循環回路５５で混じり合い、さらに浴槽５内で均一な温度の湯となる。そして炭酸湯生成用の水を流し終えたら、続いて炭酸ガス供給系統７１に洗浄動作用の水を流す。洗浄動作用の水もまた浴槽５内で均一な温度の湯となる。
なお洗浄動作の開始時にガスレス水接続流路７０からの湯の供給が終了していなければ、洗浄動作用の水はガスレス水接続流路７０からの湯とガス溶解水接続流路７７や追い焚き循環回路５５で混合された後、浴槽５内で均一な温度の湯となる。
そこで本実施形態では、湯の落とし込みに先立って、浴槽５内の湯がリモコン６で設定された湯の温度となる様に、ガスレス水接続流路７０から浴槽５に供給する湯の量と、炭酸ガス供給系統７１から浴槽５に供給する湯の量の割合を演算する。
【００５９】
演算式は、通常の熱量演算であり、次式による。
【００６０】
Ｔ・Ｑ＝ＴＡ・ＱＡ＋ＴＢ・ＱＢ＋ＴＣ・ＱＣ  （式１）
【００６１】
上記式は、
Ｔ：風呂設定温度（落とし込む湯の設定温度）
Ｑ：風呂設定湯量（落とし込む湯の総量、ＱはＱＡ、ＱＢ、ＱＣの総量）
ＴＡ：上水の温度
ＱＡ：炭酸ガス溶解水の量（炭酸ガス供給系統７１を流れる水量の一部）
ＴＢ：高温湯温度（ガスレス水接続流路７０を流れる湯の温度）
ＱＢ：高温湯の量（ガスレス水接続流路７０を流れる水量）
ＴＣ：洗浄作業用の水の温度（一般的にはＴＢと同じ値）
ＱＣ：洗浄作業用の水の量（炭酸ガス供給系統７１を流れる水量の一部であり定数）
と、されている。
【００６２】
そして炭酸ガス導入ユニット３側から熱源部２側に高温の湯の供給を要求する。例えば熱源部２の流量調整弁２３を全閉するか、最も絞った状態とし、バイパス流路１２を流れる水を遮断して高温湯流路２１を流れる湯をそのまま熱源部２から出湯させる。
また炭酸ガス導入ユニット３のガスレス水接続流路７０と炭酸ガス供給系統７１の双方を開く。
より具体的には、ガスレス水接続流路７０に設けられた高温側開閉弁７５を開くと共に炭酸ガス供給系統７１の低温側流量調整弁８１を所定量開口させる。また炭酸ガス配管８８に設けられた炭酸ガス用電磁弁９０を開く。
【００６３】
その結果、前記した様に給水源２０の圧力に押されて熱源部２の給湯系配管回路７に水流が生じ、ガスバーナ１５に点火されて給湯用熱交換器１６を流れる水が加熱され、熱源部２から炭酸ガス導入ユニット３に湯が導入される。ここで炭酸ガスを含有する湯を浴槽５に落とし込む場合は、炭酸ガス導入ユニット３側から熱源部２側に高温の湯の供給が要求されているから、熱源部２は、自己のリモコン６の設定温度を無視し、例えば摂氏７５という様な高温の湯を出湯口３４から出湯させる。さらにこの高温の湯は、炭酸ガス導入ユニット３のガスレス水接続流路７０から追い焚き循環回路５５に入り、追い焚き循環回路５５を経由して浴槽５に落とし込まれる。
【００６４】
ガスレス水接続流路７０を流れる湯の量は、ガスレス水接続流路７０に設けられた高温側水量センサー７３で積算され、所定の量（ＱＢ）に至った場合にはガスレス水接続流路７０に設けられた高温側開閉弁７５が閉じられる。
【００６５】
一方、炭酸ガス供給系統７１においては、低温側流量調整弁８１が開かれることによって給水源２０から常温の上水が供給される。上水は、炭酸ガス供給系統７１を流れて炭酸ガス溶解装置８３に至り、炭酸ガスと接触して炭酸ガスが溶解される。ここで本実施形態では、炭酸ガス供給系統７１に低温側流量調整弁８１が設けられており、炭酸ガス供給系統７１を流れる水量が炭酸ガスの供給量及び炭酸ガス溶解装置８３の処理能力に合わせて調節される。
炭酸ガスが溶解された常温水は、ガス溶解水接続流路７７を経由して追い焚き循環回路形成部５６に入り、追い焚き循環回路５５を経由して浴槽５に落とし込まれる。
【００６６】
炭酸ガス供給系統７１を流れる水の量は、炭酸ガス供給系統７１に設けられた低温側水量センサー８０で積算され、所定の量（ＱＡ）に至った場合には炭酸ガス用電磁弁９０が閉じられて、炭酸ガス溶解装置８３における炭酸ガスの溶解動作が終了する。
【００６７】
そして、炭酸ガス供給系統７１及び追い焚き循環回路の５５の洗浄動作が開始される。まず炭酸ガス供給系統７１に洗浄作業用の上水が給水源２０から供給される。供給された上水は炭酸ガス溶解装置８３を素通りし、追い焚き循環回路５５を経由して浴槽５に落とし込まれる。つまり、炭酸ガス溶解装置８３及び追い焚き循環回路５５が洗浄作業用の上水によって洗浄される。
洗浄動作用の水の量も低温側水量センサー８０で積算され、所定の量（ＱＣ）に至ると、炭酸ガス供給系統７１に設けられた低温側流量調整弁８１が閉じられる。
【００６８】
実際の浴槽５への炭酸ガス溶解水の落とし込み工程は、図２、３のフローチャートの通りである。なお、ステップ１〜５及びステップ２０〜２２は図２に記載しており、ステップ６〜１９は図３に記載している。
即ち浴槽５への炭酸ガス溶解水の落とし込みは、炭酸ガス導入ユニット３側のリモコンスイッチ５９がオン状態であり、その状態下において、熱源部２側のリモコン６で湯の自動落とし込みを要求することによって開始される。なお「湯の自動落とし込みの要求」は、例えば、ふろ自動スイッチをオン状態にすることで実行される。
ここで図４の表の様に、炭酸ガス導入ユニット３側のリモコンスイッチ５９のＯＮ、ＯＦＦ状態は、図示しない通信回線で、熱源部２側に送信されている。また熱源部２側で湯の自動落とし込みを要求がなされているか否かは、図示しない通信回線で、熱源部２側から炭酸ガス導入ユニット３側に送信されている。
【００６９】
そして風呂装置１の使用者が、熱源部２側のリモコン６で湯の自動落とし込みを要求すると、熱源部２側の制御装置（図示せず）が、炭酸ガス導入ユニット３側のリモコンスイッチ５９のＯＮ、ＯＦＦ状態を確認する（ステップ１）。
そして炭酸ガス導入ユニット３側のリモコンスイッチ５９がＯＮであるならば、ステップ２以下に進み、浴槽５への炭酸ガス溶解水の落とし込みが開始される。また、リモコンスイッチ５９がＯＦＦであるならば、詳しい説明は省略するがステップ２０〜２２の手順で通常の湯の落とし込みを行う。
なお図４の表に示す様に、熱源部２側のリモコン６で湯の自動落とし込みを要求すると、この事実を示す信号が熱源部２側から炭酸ガス導入ユニット３側に送信される。
【００７０】
炭酸ガス導入ユニット３側のリモコンスイッチ５９がＯＮであるならば、ステップ２に進み、高温側開閉弁７５、低温側流量調整弁８１及び炭酸ガス用電磁弁９０を開く。また熱源部２の給湯系配管回路７から摂氏７５〜８０度程度の高温の湯が出湯される様にバイパス流路１２の流量調整弁２３が制御される。例えば流量調整弁２３が全閉状態となる。
続くステップ３で、熱源部２側のリモコン６で設定された条件が、熱源部２側から炭酸ガス導入ユニット３側に送信される。より具体的には、風呂設定温度（落とし込む湯の設定温度）と風呂設定湯量（落とし込む湯の総量）に関する情報が、熱源部２側から炭酸ガス導入ユニット３側に送信される。
【００７１】
そして炭酸ガス導入ユニット３側の制御装置で、前記した（式１）の演算が行われ、浴槽５内の湯がリモコン６で設定された風呂設定温度となる様に、ガスレス水接続流路７０から浴槽５に供給する湯の量と、炭酸ガス供給系統７１から浴槽５に供給する２種類の湯の量（炭酸水供給用の湯及び洗浄動作用の湯）が演算される（ステップ４）。
【００７２】
前記した様にステップ２で、高温側開閉弁７５が開かれているから、熱源部２から高温の湯が出湯されて炭酸ガス導入ユニット３に導入され、この高温の湯は、ガスレス水接続流路７０から追い焚き循環回路５５に入り、追い焚き循環回路５５を経由して浴槽５に落とし込まれる。
同じく前記したステップ２で、低温側流量調整弁８１が開かれているから、炭酸ガス導入ユニット３に給水源２０から常温の上水が供給され、上水は、炭酸ガス供給系統７１を流れて炭酸ガス溶解装置８３に至る。また前記したステップ２で炭酸ガス用電磁弁９０が開かれているから、炭酸ガス溶解装置８３内で上水と炭酸ガスとが接触して炭酸ガスが溶解される。
炭酸ガスが溶解された常温水は、ガス溶解水接続流路７７を経由して追い焚き循環回路形成部５６に入り、追い焚き循環回路５５を経由して浴槽５に落とし込まれる。
【００７３】
そしてステップ５で、高温の湯の供給量（ＱＢ）、または炭酸ガスが溶解された常温水の供給量（ＱＡ）のいずれかが、前記した演算で得られた積算流量に達したか否かが監視される。
いずれかの供給量が前記した演算で得られた積算流量に達しておればステップ６に進み、所定流量に達したのが高温の湯であるのか、あるいは炭酸ガスが溶解された常温水であるかを判断する。
【００７４】
もし先に炭酸ガスが溶解された常温水の供給量が、必要量（ＱＡ）に達したのであれば、炭酸ガスが溶解された常温水の供給を停止し、洗浄動作を開始すると共に高温の湯の供給量が必要量（ＱＢ）に達するのを待つ。
即ちステップ６で、炭酸ガスが溶解された常温水の供給量が必要量（ＱＡ）に達したことが確認されれば、ステップ７に進み、炭酸ガス用電磁弁９０を閉じて炭酸ガスが溶解された常温水の供給を停止する。また、それと同時に給水源２０から炭酸ガス溶解装置８３及び追い焚き循環回路５５を経由して浴槽５まで上水を流すことにより洗浄動作を開始する。
次にステップ８に進み、「洗浄動作」と「高温の湯の必要量（ＱＢ）分の供給」のどちらが先に終了したかを判断する。
【００７５】
ステップ８で「洗浄動作」が先に終了した場合、ステップ８がＹＥＳとなり、ステップ９に進んで低温側流量調整弁８１を閉じる。そして高温の湯の供給量が必要量（ＱＢ）に達するのを待つ。
なお、高温の湯の供給量が必要量（ＱＢ）に達したならばステップ１０がＹＥＳとなり、ステップ１１に進んで高温側開閉弁７５を閉じ、高温の湯の供給を停止する。これらの動作の完了に伴い自動お湯はり運転（炭酸湯の落とし込み）が終了する。
【００７６】
ステップ８で「高温の湯の必要量（ＱＢ）分の供給」が先に終了した場合、ステップ８がＮＯとなり、ステップ１２に進んで高温側開閉弁７５を閉じ、高温の湯の供給を停止する。そして、洗浄動作の終了を待つ。
洗浄動作が終了したらステップ１３がＹＥＳとなり、ステップ１４に進んで低温側流量調整弁８１を閉じる。これらの動作の完了に伴い自動お湯はり運転（炭酸湯の落とし込み）が終了する。
【００７７】
また前記したステップ６で、高温の湯の供給量の方が先に所定流量（ＱＢ）に達しておれば、ステップ１５に移行し、高温の湯の供給を停止し、炭酸ガスが溶解された常温水が必要量（ＱＡ）に達するのを待つ。即ち、ステップ６で高温の湯の供給量が必要量（ＱＢ）に達したことが確認されれば、ステップ１５に進み、高温側開閉弁７５を閉じて高温の湯の供給を停止する。
続いてステップ１６に進み、炭酸ガスが溶解された常温水の供給量が必要量（ＱＡ）に達するのを待つ。炭酸ガスが溶解された常温水の供給量が必要量（ＱＡ）に達したならばステップ１６がＹＥＳとなり、ステップ１７に進んで炭酸ガス用電磁弁９０を閉じ、炭酸ガスが溶解された常温水の供給を停止する。また、それと同時に給水源２０から炭酸ガス溶解装置８３及び追い焚き循環回路５５を経由して浴槽５まで上水を流すことにより洗浄動作を開始する。
時間が経過して洗浄動作の終了が確認されると、ステップ１８がＹＥＳになり、低温側流量調整弁８１を閉じて（ステップ１９）自動お湯はり運転を終了する。
【００７８】
上記いずれの場合も自動お湯はり運転が終了した事実は、図４の表の様に炭酸ガス導入ユニット３側から熱源部２側に送信される。
【００７９】
以上説明した実施形態では、新たに炭酸湯を落とし込む場合の洗浄動作について説明した。これに加えて、本発明の特徴たる洗浄動作は炭酸湯を落とし込んだ浴槽５にさらに炭酸湯を追加する場合、即ち、足し湯（足し水）の際にも行われるものである。
【００８０】
図５に示す風呂装置２００は、図１に示す風呂装置１の温水調整部５７をガスレス水接続流路７０を持たない温水導入部３０５に置換し、炭酸ガス導入ユニット３の内外を連通する温水導入部給水口３０６を設けたものである。またこの風呂装置２００は、図１に示す風呂装置１の低温側水量センサ８０、低温側流量調整弁８１、低温側逆流防止装置８２をそれぞれ水量センサ３０７、流量調整弁３０８、逆流防止装置３０９とした。これらは便宜上名称を変更したものであり事実上同一のものとなっている。そして、この風呂装置２００は給湯系配管回路７の出湯口３４と温水導入部給水口３０６を接続するものである。
この構成によると、図１の風呂装置１に比べて浴槽５に足し湯（足し水）する炭酸湯の温度調節が容易であるという特徴がある。
本発明の洗浄動作を足し湯の後に行う場合の動作について、第２の実施形態である風呂装置２００で足し湯する場合を例にあげて説明する。なお、以下の説明で図１の風呂装置１と重複する部分については同じ符号を付して説明を省略するものとする。
【００８１】
風呂装置２００では浴槽５に炭酸湯が落とし込まれた状態において、給湯系配管回路７を経由した湯を炭酸ガス供給系統７１に供給し、湯に炭酸ガスを含有させて浴槽５に供給することで炭酸湯の足し湯を行う。このとき、常温の炭酸湯を足し湯するのであれば、給湯系配管回路７を素通りさせて炭酸ガス供給系統７１に湯（水）を供給する。また、温度の高い炭酸湯を足し湯するのであれば、給湯系配管回路７で昇温した湯を炭酸ガス供給系統７１に供給する。
そして炭酸湯の足し湯の後に、炭酸ガス用電磁弁９０を閉じて炭酸ガス溶解装置８３及び追い焚き循環回路５５に炭酸ガスを含有しない湯（水）を流すことにより洗浄動作を行う。
即ち、浴槽５には足し湯に必要な全湯量から洗浄動作に必要な湯量を引いた湯量だけ炭酸湯を供給した後、洗浄動作で使用する湯（水）が供給される。
【００８２】
図６は本実施形態の足し湯（足し水）を行う際のフローチャートを示すものである。
即ち、浴槽５への炭酸ガス溶解水による足し湯（足し水）は、熱源部２側のリモコン６で足し湯（足し水）を要求し、そのとき炭酸ガス導入ユニット３側のリモコンスイッチ５９がオン状態であれば開始される。
ここで図７の表のように、炭酸ガス導入ユニット３側のリモコンスイッチ５９のＯＮ、ＯＦＦ状態は、図示しない通信回線で、熱源部２側に送信されている。また熱源部２側で足し湯（足し水）が要求されているか否かは、図示しない通信回線で、熱源部２側から炭酸ガス導入ユニット３側に送信されている。
【００８３】
そして風呂装置２００の使用者が、熱源部２側のリモコン６で足し湯（足し水）を要求すると、熱源部２側の制御装置（図示せず）が、炭酸ガス導入ユニット３側のリモコンスイッチ５９のＯＮ、ＯＦＦ状態を確認する（ステップ１）。
ここで炭酸ガス導入ユニット３側のリモコンスイッチ５９がＯＮであるならば、ステップ２以下に進み、浴槽５への炭酸ガス溶解水の足し湯が開始される。
ステップ２では、流量調整弁３０８と炭酸ガス用電磁弁９０を開く。そしてステップ３で、湯（水）の供給量が設定された積算量（ＱＷ）に達したか否かが監視される。なお、足し湯する炭酸湯に温度設定がされていれば、給湯系配管回路７から昇温した湯が出湯されるよう制御される。また、ここで設定された積算量（ＱＷ）とは浴槽５に追加される総水量である設定湯量（Ｑ）から洗浄動作に必要な水量（ＱＣ）を差し引いた量である。
供給量が設定された積算量（ＱＷ）に達しておればステップ４に進み、炭酸ガス用電磁弁９０を閉じ、炭酸ガスが溶解された湯の供給を停止する。そして、常温の水を給水源２０から炭酸ガス溶解装置８３及び追い焚き循環回路５５を経由して浴槽５まで上水を流すことにより洗浄動作を開始する。
規定量（ＱＣ）の上水が流れて洗浄動作の終了が確認されると、ステップ５がＹＥＳとなり、ステップ６に進んで流量調整弁３０８を閉じ、足し湯の運転を終了する。なお、足し湯の運転が終了した段階で、図７の表のようにその事実が炭酸ガス導入ユニット３側から熱源部２側に送信される。
【００８４】
図８に示す第３の実施形態の風呂装置３００は、図５に示す風呂装置２００に炭酸ガス供給循環用流路３０３を設け、当該炭酸ガス供給循環用流路３０３に炭酸ガス供給循環用電磁弁３０２を設けている。なお炭酸ガス供給循環用流路３０３は、炭酸ガス溶解装置８３の上流側と追い焚き循環回路５５を接続する流路であり、詳細には炭酸ガス溶解装置８３の上流側と追い焚き循環回路５５の浴槽循環ポンプ６５の下流側とを接続する流路である。
さらに、風呂装置３００の追い焚き循環回路５５には炭酸ガス供給系統７１が合流する部分と、炭酸ガス供給循環用流路３０３が合流する部分の間に追い焚き回路用電磁弁３０１が設けられている。
そして、炭酸ガス供給循環用流路３０３、炭酸ガス供給系統７１、追い焚き循環回路５５より形成される環状の流路である浴槽循環用流路３０４が形成されている。
【００８５】
この風呂装置３００は常温の水を浴槽５に落とし込んだ後、浴槽５の水を追い焚き循環回路５５内で循環させることによって、湯水に炭酸ガスを含有させる動作や湯水（炭酸水）を昇温する制御を行うことができる。なお、この風呂装置３００では常温の水を落とし込む場合、炭酸ガス燃焼ユニット３から熱源部２側へ燃焼停止を指令する。このとき、リモコン６の運転スイッチがＯＮであっても他の給湯栓にお湯を供給できない。
本発明はこのような構成の風呂装置３００においても好適に実施することができる。以下風呂装置３００を使用して、炭酸ガスを含有した湯を浴槽５に落とし込む場合について説明する。
【００８６】
浴槽５への炭酸ガス溶解水の落とし込み工程は、図９、１０のフローチャートの通りである。なお、ステップ１〜９及びステップ１４〜１７は図９に記載しており、ステップ１０〜１３は図１０に記載している。
即ち浴槽５への炭酸ガス溶解水の落とし込みは、熱源部２側のリモコン６で湯の自動落とし込みを要求し、そのとき炭酸ガス導入ユニット３側のリモコンスイッチ５９がオン状態であれば開始される。なお「湯の自動落とし込みの要求」は、例えば、ふろ自動スイッチをオン状態にすることで実行される。
ここで図１１の表の様に、炭酸ガス導入ユニット３側のリモコンスイッチ５９のＯＮ、ＯＦＦ状態は、図示しない通信回線で、熱源部２側に送信されている。また熱源部２側で湯の自動落とし込みを要求がなされているか否かは、図示しない通信回線で、熱源部２側から炭酸ガス導入ユニット３側に送信されている。
【００８７】
そして風呂装置３００の使用者が、熱源部２側のリモコン６で湯の自動落とし込みを要求すると、熱源部２側の制御装置（図示せず）が、炭酸ガス導入ユニット３側のリモコンスイッチ５９のＯＮ、ＯＦＦ状態を確認する（ステップ１）。
そして炭酸ガス導入ユニット３側のリモコンスイッチ５９がＯＮであるならば、ステップ２以下に進み、浴槽５への炭酸ガス溶解水の落とし込みが開始される。また、リモコンスイッチ５９がＯＦＦであるならば、詳しい説明は省略するがステップ１４〜１７の手順で通常の湯の落とし込みを行う。
なお図１１の表に示す様に、熱源部２側のリモコン６で湯の自動落とし込みを要求すると、この事実を示す信号が熱源部２側から炭酸ガス導入ユニット３側に送信される。
【００８８】
炭酸ガス導入ユニット３側のリモコンスイッチ５９がＯＮであるならば、ステップ２に進み、炭酸ガス用電磁弁９０を閉じ、追い焚き回路用電磁弁３０１、炭酸ガス供給循環用電磁弁３０２を開く。そして、給水源２０から常温の水が炭酸ガス供給系統７１及び追い焚き循環回路５５を経由して浴槽５に供給される。
続くステップ３で、熱源部２側のリモコン６で設定された条件が、熱源部２側から炭酸ガス導入ユニット３側に送信される。より具体的には、風呂設定温度（落とし込む湯の設定温度）と風呂設定湯量（落とし込む湯の総量でありＱとする）に関する情報が、熱源部２側から炭酸ガス導入ユニット３側に送信される。
【００８９】
そしてステップ４に進み、落とし込みに必要な全湯量（Ｑ）から洗浄動作に必要な湯量（ＱＣ）を引いた湯量（ＱＷ）が浴槽に供給されるのを待つ。
【００９０】
所定の湯量（ＱＷ）が浴槽５内に落とし込まれると、ステップ４がＹＥＳとなりステップ５に進んで追い焚き回路用電磁弁３０１を閉じる。
【００９１】
続いて、ステップ６に進んで浴槽循環動作を開始する。即ち浴槽循環ポンプ６５を運転することにより、浴槽５に落とし込まれた水を浴槽循環用流路３０４内に導入し、浴槽循環用流路３０４内を循環させる。
【００９２】
浴槽５に落とし込まれた水の浴槽循環用流路３０４内での循環が開始されると、炭酸ガス用電磁弁９０を開き、炭酸ガス供給動作を開始する（ステップ７）。即ち、浴槽５に落とし込まれた水に炭酸ガスを含有させて炭酸湯を生成する。
【００９３】
一定時間炭酸ガス供給動作を実行した後、炭酸ガス用電磁弁９０を閉じて炭酸ガス供給動作を停止する（ステップ８）。また、浴槽循環動作を停止する（ステップ９）。
【００９４】
続いて、追い焚き回路用電磁弁３０１を開き、炭酸ガス供給循環用電磁弁３０２を閉じる（ステップ１０）。そして、浴槽５内の炭酸湯を追い焚き循環回路５５内に導入し、追い焚き循環回路５５内を循環させ、風呂用液液熱交換器６８によって導入した炭酸湯を加熱する。この炭酸湯の加熱動作は炭酸湯が設定した温度になるまで実行される。
【００９５】
炭酸湯が設定温度に到達するとステップ１１がＹＥＳとなり、ステップ１２に進む。そして、炭酸ガス供給循環用電磁弁３０２が開かれて洗浄動作が開始される。即ち、給水源２０から常温の水が浴槽循環用流路３０３を経由して浴槽５に流し込まれる。
【００９６】
洗浄動作が終了すると、ステップ１３がＹＥＳとなり自動お湯はり運転を終了する。尚この場合にも、図１１の表のように落とし込みが完了した事実が、炭酸ガス導入ユニット３側から熱源部２側に送信される。
【００９７】
上記した風呂装置３００の落とし込みでは洗浄動作に常温の水を使用したが、洗浄動作に使用する水はこれに限定されるものではない。例えば、給湯系配管回路７で昇温した水であってよい。
【００９８】
風呂装置３００では上記した浴槽５への炭酸湯の落とし込み動作に加えて、浴槽循環用流路３０４内に浴槽５内に落とし込まれた湯水又は炭酸水を導入して循環させることにより、炭酸ガスを湯水に溶解することや炭酸湯に炭酸ガスを追加して濃度を高くすることができる。また、浴槽５内の湯水又は炭酸湯を追い焚き循環回路５５又は浴槽循環用流路３０４に導入し、循環させることによって昇温させることができる。加えて、給湯系配管回路７で昇温した湯水を炭酸ガス導入ユニット３へ供給し、昇温した湯水に炭酸ガスを含有させることができる。
そのことにより、例えば、浴槽５の湯水を浴槽循環用流路３０４内で循環させることにより、浴槽循環用流路３０４内を一回循環させる間に湯水に炭酸ガスを溶解する動作と風呂用液液熱交換器６８で昇温させる動作の２つの動作を行ってもよい。
また、給湯系配管回路７で昇温した湯水（又は常温の水）に炭酸ガスを含有させて新たな炭酸湯を生成し、昇温のために追い焚き循環回路５５を循環している湯水又は炭酸湯に新たな炭酸湯を追加してもよい。
そしてこれらの動作終了後にも給湯系配管回路７で昇温した湯水（又は給湯系配管回路７を素通りした常温の水）で洗浄動作を行うものである。洗浄動作に必要な湯水の量及び温度は適宜の値が演算される。
また、給湯系配管回路７で昇温した湯水に炭酸ガスを含有させて浴槽５に落とし込むことができる。この場合も、浴槽に落とし込む全湯量から洗浄動作に必要な湯水の量だけ引いた湯量が炭酸湯として浴槽５に落とし込まれ、最後に給湯系配管回路７で昇温した湯水（又は給湯系配管回路７を素通りした常温の水）で洗浄動作が行われる。そして、炭酸ガス供給系統７１及び追い焚き循環回路５５が洗浄される。
【００９９】
上記したように追い焚き循環回路５５を洗浄すると、追い焚き循環回路５５内に炭酸湯及び炭酸ガスが滞留しない状態となる。これにより水流スイッチ６６（流水検知装置）の炭酸による誤検知が発生しないため、追い焚き循環回路５５内の通水の有無を正確に検知することができる。つまり、追い焚き循環回路５５の循環判定の精度が高くなる。
したがって、追い焚き循環回路５５の循環判定は洗浄動作の後に行うことが望ましい。
【０１００】
以上説明した実施形態では、追い焚き循環回路５５に気液分離器を設けていないが、追い焚き循環回路５５に気液分離器を設置する構成にしてもよい。
【０１０１】
以上説明した実施形態では、炭酸ガス溶解装置８３としてガス透過膜方式を採用し、さらにその中で中空糸型半透膜を利用した構成を採用した。しかしながら本発明は、ガス透過膜方式に限定されるものではなく、ミキサー方式、圧力タンク方式、バブリング方式、燃焼気体接触方式のいずれの方式を採用することもできる。
【０１０２】
ここでミキサー方式とは、ミキサーに水と炭酸ガスを供給し、ガスを微細化すると共に加圧して炭酸ガスを溶解させる方法である。
圧力タンク方式とは、加圧タンクの中で炭酸ガスを水中に噴射し、気液界面で濃度差によって炭酸ガスを溶解する方法である。
バブリング方式とは、常温状態の水中に気泡状の炭酸ガスを供給し、気液界面で温度差によって炭酸ガスを溶解する方法である。
燃焼気体接触方式とは、燃焼排ガスに水を接触させ、排ガス中の炭酸ガスを水に吸収させる方法である。
【０１０３】
また上記した実施形態では、いずれも熱源部２と、炭酸ガス導入部とをそれぞれユニット化したが、両者が一体となった風呂装置であってもよい。
【０１０４】
また上記した実施形態では、ガスレス水接続流路７０がガス溶解水接続流路７７と合流して追い焚き循環回路５５に接続される回路構成を開示した。この回路構成は、合流部分で湯水が攪拌されて温度が均一化する効果があるため推奨されるが、ガスレス水接続流路７０とガス溶解水接続流路７７とがそれぞれ独立して追い焚き循環回路５５に接続される構成を否定するものではない。
【符号の説明】
【０１０５】
１    風呂装置
５    浴槽
５５    追い焚き循環回路
５６    追い焚き循環回路形成部
６６    水流スイッチ（流水検知装置）
６８    風呂用液液熱交換器（追い焚き用熱交換器）
７０    ガスレス水接続流路
７４    熱媒体排出口
７７    ガス溶解水接続流路
８３    炭酸ガス溶解装置
２００  風呂装置
３００  風呂装置
３０３  炭酸ガス供給循環用流路
３０４  浴槽循環用流路
【図１】
2011208916.tif 000003
【図２】
2011208916.tif 000004
【図３】
2011208916.tif 000005
【図４】
2011208916.tif 000006
【図５】
2011208916.tif 000007
【図６】
2011208916.tif 000008
【図７】
2011208916.tif 000009
【図８】
2011208916.tif 000010
【図９】
2011208916.tif 000011
【図１０】
2011208916.tif 000012
【図１１】
2011208916.tif 000013